(57)【要約】【課題】  スライド操作を容易に行うことができる移動通信端末を提供する。【解決手段】  携帯電話機１１は、操作筐体１２と表示筐体１３とを備え、表示筐体１３が操作筐体１２にスライド可能に設けられたものである。操作筐体１２には、ボタン操作部１４が設けられるとともに表示筐体１３には表示部１６が設けられている。この携帯電話機１１は、表示筐体１３のスライド動作によって、ボタン操作部１４が露出した露出状態と、表示筐体１３によってボタン操作部１４が隠蔽される隠蔽状態とに移行されるようになっている。操作筐体１２のアンテナ収容部２１には、第１圧縮コイルばね２４が収容されている。表示筐体１３は、第１圧縮コイルばね２４の付勢力によって隠蔽状態から露出状態に移行する方向に付勢されるようになっている。【選択図】      図１
2005167847.tif 000002
【特許請求の範囲】
【請求項１】
第１機能部が設けられた第１筐体と、第２機能部が設けられた第２筐体とを備え、前記第２筐体は前記第１筐体にスライド可能に設けられ、該第２筐体のスライド動作によって、前記第１機能部及び第２機能部が露出される露出状態と、前記第１機能部が第２筐体に隠蔽されるか又は第２機能部が第１筐体に隠蔽される隠蔽状態と、に移行するように構成された移動通信端末であって、前記隠蔽状態から露出状態に移行する方向に前記第２筐体を付勢するか又は前記露出状態から前記隠蔽状態に移行する方向に前記第２筐体を付勢する付勢手段を設けるとともに、前記付勢手段の付勢力による前記第２筐体のスライド動作を規制する規制手段を設けたことを特徴とする移動通信端末。
【請求項２】
前記第１筐体にはロッドアンテナを収容するアンテナ収容部が設けられるとともに、前記ロッドアンテナは前記アンテナ収容部から出没可能に設けられ、前記第２筐体が前記ロッドアンテナの先端部に連結されることにより、前記第２筐体のスライド動作と前記ロッドアンテナの出没動作が連動するように構成したことを特徴とする請求項１に記載の移動通信端末。
【請求項３】
前記第１筐体にはロッドアンテナを収容するアンテナ収容部が設けられ、前記アンテナ収容部に前記付勢手段としてのコイルばねを収容し、該コイルばねの内側に前記ロッドアンテナを収容することを特徴とする請求項１又は請求項２に記載の移動通信端末。
【発明の詳細な説明】
【技術分野】
【０００１】
本発明は、例えば携帯電話機、ＰＤＡ等の移動通信端末に関するものである。
【背景技術】
【０００２】
従来より、この種の移動通信端末としては、表示部を設けた携帯電話機本体と、操作ボタンを有するキーパッドとを備え、携帯電話機本体にキーパッドがスライド可能に設けられた携帯電話機が知られている（特許文献１参照）。
【特許文献１】特開２００１−２４７６２号公報
【発明の開示】
【発明が解決しようとする課題】
【０００３】
上記従来の移動通信端末におけるスライド操作は手動で行われる。従って、片手でスライド操作を行う場合は、素早いスライド操作がしにくい等、スライド操作が困難であるという問題があった。
【０００４】
本発明は、上記のような従来技術に存在する問題点に着目してなされたものである。その目的とするところは、スライド操作を容易に行うことができる移動通信端末を提供することにある。
【課題を解決するための手段】
【０００５】
上記の目的を達成するために請求項１に記載の発明は、第１機能部が設けられた第１筐体と、第２機能部が設けられた第２筐体とを備え、前記第２筐体は前記第１筐体にスライド可能に設けられ、該第２筐体のスライド動作によって、前記第１機能部及び第２機能部が露出される露出状態と、前記第１機能部が第２筐体に隠蔽されるか又は第２機能部が第１筐体に隠蔽される隠蔽状態と、に移行するように構成された移動通信端末であって、前記隠蔽状態から露出状態に移行する方向に前記第２筐体を付勢するか又は前記露出状態から前記隠蔽状態に移行する方向に前記第２筐体を付勢する付勢手段を設けるとともに、前記付勢手段の付勢力による前記第２筐体のスライド動作を規制する規制手段を設けたことを要旨とする。この構成によれば、隠蔽状態又は露出状態において、第２筐体のスライド動作の規制を解除すると、第２筐体は付勢手段の付勢力によって露出状態又は隠蔽状態に移行される。
【０００６】
請求項２に記載の発明は、請求項１に記載の発明において、前記第１筐体にはロッドアンテナを収容するアンテナ収容部が設けられるとともに、前記ロッドアンテナは前記アンテナ収容部から出没可能に設けられ、前記第２筐体が前記ロッドアンテナの先端部に連結されることにより、前記第２筐体のスライド動作と前記ロッドアンテナの出没動作が連動するように構成したことを要旨とする。この構成によれば、第２筐体のスライド動作に伴いロッドアンテナは出没されるため、ロッドアンテナの操作を省略することができる。
【０００７】
請求項３に記載の発明は、請求項１又は請求項２に記載の発明において、前記第１筐体にはロッドアンテナを収容するアンテナ収容部が設けられ、前記アンテナ収容部に前記付勢手段としてのコイルばねを収容し、該コイルばねの内側に前記ロッドアンテナを収容することを要旨とする。この構成によれば、第１筐体のスペースを有効に活用することができるため、移動通信端末を小型化することができる。
【発明の効果】
【０００８】
本発明によれば、スライド操作を容易に行うことができる。
【発明を実施するための最良の形態】
【０００９】
以下、本発明を携帯電話機に具体化した実施形態を図面に基づいて詳細に説明する。
図１及び図２に示すように、移動通信端末としての携帯電話機１１は、第１筐体としての縦長四角箱状の操作筐体１２と、第２筐体としての縦長四角箱状の表示筐体１３とを備え、表示筐体１３が操作筐体１２にスライド可能に設けられたものである。以下、上下左右は図１及び図２に示す携帯電話機１１を前方から見た場合の上下左右を示す。
【００１０】
操作筐体１２の前側下部には、第１機能部としてのボタン操作部１４が設けられている。このボタン操作部１４には複数の入力キー１５が並設され、これらの入力キー１５によって携帯電話機１１が操作可能となっている。一方、表示筐体１３の前側上部には、第２機能部としての表示部１６が設けられている。図３に示すように、この表示部１６の内側には液晶画面１７が埋設され、表示部１６の前方から液晶画面１７による表示が視認可能となっている。
【００１１】
図１に示すように、操作筐体１２の左右両側面には溝状のスライド凹条１８が上下方向に延びるように凹設されている。一方、表示筐体１３の左右両側には縦長四角板状のスライド突条１９が上下方向に延びるように突設されている。そして、スライド突条１９がそれぞれスライド凹条１８に係合されることにより、操作筐体１２に表示筐体１３が支持されるようになっている。また、スライド突条１９がスライド凹条１８に案内されながら摺動することによって、図２及び図４に示すように操作筐体１２に対して表示筐体１３は上下方向にスライド可能となっている。この携帯電話機１１は、表示筐体１３のスライド動作によって、ボタン操作部１４が露出した露出状態と、表示筐体１３の下側によってボタン操作部１４が隠蔽される隠蔽状態とに移行されるようになっている。
【００１２】
また、操作筐体１２の右側にはロッドアンテナ２０を収容する有底円柱状のアンテナ収容部２１が上下方向に延びるように凹設されている。このアンテナ収容部２１の上端には開口部２２が形成され、ロッドアンテナ２０は開口部２２から出没可能に設けられている。また、アンテナ収容部２１の延びる方向とスライド突条１９及びスライド凹条１８の延びる方向とは略平行をなしている。表示筐体１３の上端にはＬ字板状のブラケット２３が表示筐体１３の裏面方向に延びるように設けられ、このブラケット２３の先端側にはロッドアンテナ２０の上端が連結固定されている。そして、表示筐体１３のスライド動作とロッドアンテナ２０の出没動作が連動するようになっている。
【００１３】
アンテナ収容部２１には、付勢手段であるコイルばねとしての第１圧縮コイルばね２４が上下方向に延びるように収容されている。この第１圧縮コイルばね２４の下端はアンテナ収容部２１の内底に支持されるとともに、第１圧縮コイルばね２４の上端はロッドアンテナ２０の下端側に係止されている。そして、この第１圧縮コイルばね２４の付勢力によって、ロッドアンテナ２０は開口部２２から突出する方向に付勢されるとともに表示筐体１３は操作筐体１２に対して隠蔽状態から露出状態となる方向に付勢されている。この第１圧縮コイルばね２４は、コイル径φ３〜８ｍｍ、線径φ０．２〜０．８ｍｍ及び長さ４０〜１２０ｍｍのものを用いることにより、スライド動作に適した付勢力が得られる。
【００１４】
図５に示すように、操作筐体１２の右側中央部には規制手段としての規制スイッチ２５及び第２圧縮コイルばね２６が設けられている。規制スイッチ２５の先端側には、四角板状の解除ボタン２７が上下方向に延びるように設けられるとともに、この解除ボタン２７に平行して四角板状の規制片２８が設けられている。一方、操作筐体１２の右側中央部には、解除ボタン挿通孔２９及び規制片挿通孔３０が上下方向に延びるように穿設され、それぞれ解除ボタン２７及び規制片２８の先端部が挿通されるようになっている。第２圧縮コイルばね２６の先端は規制スイッチ２５の基端部に支持されるとともに、第２圧縮コイルばね２６の基端は、操作筐体１２の内側に設けられた図示しない支持部に支持されている。そして、第２圧縮コイルばね２６の付勢力によって規制スイッチ２５は右方向、すなわち解除ボタン２７及び規制片２８をそれぞれ解除ボタン挿通孔２９及び規制片挿通孔３０から突出させる方向に付勢されるようになっている。
【００１５】
一方、図１に示すようにスライド突条１９の内面上部には、規制手段としての規制突部３１が前方に延びるように突設されている。そして、図６（ｃ）に示すようにこの規制突部３１は規制片２８の下端に係止されるようになっている。前記隠蔽状態では、これらの規制スイッチ２５及び規制突部３１によって表示筐体１３のスライド動作が規制されるようになっている。また、図６（ａ）に示すように規制片２８の上端部は円弧状の摺動部３２が形成されている。そして、表示筐体１３が下方にスライドする際、図６（ｂ）この摺動部３２は規制突部３１によって摺動され、規制スイッチ２５は左方、すなわち規制片挿通孔３０に埋没する方向に摺動されるようになっている。
【００１６】
さて、携帯電話機１１が隠蔽状態の場合では、図６（ｃ）に示すように規制突部３１が規制片２８に係止され、表示筐体１３のスライド動作が規制される。このとき、第１圧縮コイルばね２４は圧縮された状態でアンテナ収容部２１に収容されている。携帯電話機１１を露出状態にするには、操作筐体１２を把持して解除ボタン２７を第２コイルばねの付勢力に抗して押圧する。すると、図６（ｂ）に示すように規制片２８が左方向、すなわち規制片挿通孔３０に埋没する方向に移動し、規制突部３１の係止が解除される。このとき、第１圧縮コイルばね２４の付勢力によって、ロッドアンテナ２０が開口部２２から突出するとともに表示筐体１３が上方にスライドし、携帯電話機１１はボタン操作部１４が露出した露出状態となる。入力キー１５からの入力操作や通話が終了したときには、第２コイルばねの付勢力に抗して表示筐体１３を下方に押圧し、表示筐体１３を下方にスライドさせる。すると、規制片２８によって摺動部３２が摺動されるとともに、第２圧縮コイルばね２６の付勢力に抗して規制スイッチ２５が左方に移動される。そして、規制突部３１が規制片２８の下端に係止されるとともに表示筐体１３の移動が規制される。すると、表示筐体１３によってボタン操作部１４が隠蔽された隠蔽状態となる。
【００１７】
本実施形態によって発揮される効果について、以下に記載する。
・  本実施形態における携帯電話機１１では、ボタン操作部１４が設けられた操作筐体１２と表示部１６が設けられた表示筐体１３とを備え、表示筐体１３が操作筐体１２にスライド可能に設けられている。また、操作筐体１２には、隠蔽状態から露出状態に移行する方向に表示筐体１３を付勢する第１圧縮コイルばね２４が設けられている。さらに、隠蔽状態において表示筐体１３のスライド動作を規制する規制手段として、規制スイッチ２５、第２圧縮コイルばね２６及び規制突部３１を備えている。このように構成した場合、隠蔽状態において規制スイッチ２５を押圧すると、第１圧縮コイルばね２４の付勢力によって表示筐体１３がスライドされ、携帯電話機１１は露出状態となる。従って、表示筐体１３のスライド操作を容易に行うことができる。
【００１８】
・  本実施形態における携帯電話機１１では、ロッドアンテナ２０はアンテナ収容部２１から出没可能に設けられている。また、ロッドアンテナ２０にはブラケット２３が連結され、表示筐体１３のスライド動作とロッドアンテナ２０に出没操作が連動するように構成されている。このように構成した場合、表示筐体１３のスライド動作に伴って、ロッドアンテナ２０が出没されるため、ロッドアンテナ２０の操作を省略することができる。また、第１圧縮コイルばね２４の付勢力によって、ロッドアンテナ２０を突出させることが可能となる。さらに、ロッドアンテナ２０によって第１圧縮コイルばね２４の付勢力をブラケット２３に伝達することが可能である。加えて、ロッドアンテナ２０によって、表示筐体１３がスライド動作を案内することができる。
【００１９】
・  本実施形態における携帯電話機１１では、ロッドアンテナ２０を収容するアンテナ収容部２１が設けられている。また、このアンテナ収容部２１に第１圧縮コイルばね２４が収容されている。さらに、第１圧縮コイルばね２４の内側にロッドアンテナ２０が収容されている。このように構成した場合、操作筐体１２のスペースを有効に活用することができるため、携帯電話機１１を小型化することができる。
（変形例）
なお、前記実施形態を次のように変更して構成してもよい。
【００２０】
・  図７に示すように、前記実施形態における操作筐体１２の代わりとして、内側に縦長四角板状の表示筐体収容凹部３３を設けた挟持型操作筐体３４を適用してもよい。この表示筐体収容凹部３３には、縦長四角板状の表示筐体１３がスライド可能に設けられる。そして、隠蔽状態では第２機能部としての表示部１６が操作筐体１２によって隠蔽されるように構成してもよい。また、操作筐体１２の表側に四角枠状の窓部３５を設け、隠蔽状態において表示部１６の一部分が視認可能となるように構成してもよい。このように隠蔽状態では、操作筐体１２によって表示部１６の全体が隠蔽される必要はなく、表示部１６が部分的に隠蔽されていてもよい。
【００２１】
・  前記実施形態におけるボタン操作部１４と表示部１６とを入れ替えてもよい。すなわち、第１機能部を表示部１６とするとともに、第２機能部をボタン操作部１４としてもよい。
【００２２】
・  前記付勢手段として引張コイルばねを適用し、表示筐体１３が操作筐体１２に対して露出状態から隠蔽状態となる方向に付勢されるように構成してもよい。この場合、規制突部３１は露出状態で規制片２８と係止するように設けられる。また、付勢手段として板ばね、ねじりばね、空気ばね等を適用してもよい。
【００２３】
・  前記規制スイッチ２５及び規制突部３１を設けずに、図７に示すように規制手段としてＬ字板状の回動規制スイッチ３６と、規制凹部３７とを設け、回動規制スイッチ３６と規制凹部３７の係止によって表示筐体１３のスライド動作を規制してもよい。
【００２４】
・  前記第１圧縮コイルばね２４は、アンテナ収容部２１に収容されている。そして、第１圧縮コイルばね２４の上端は、ロッドアンテナ２０の下端に連結されている。この他に、第１圧縮コイルばね２４の上端を表示筐体１３に図示しない連結部材で連結することにより、ロッドアンテナ２０の出没動作と、表示筐体のスライド動作とが連動しないように構成してもよい。
【００２５】
・  前記実施形態では、移動通信端末としての携帯電話機１１に適用しているが、ＰＤＡ等の他の移動通信端末に適用してもよい。
【図面の簡単な説明】
【００２６】
【図１】本実施形態の携帯電話機を示す分解斜視図。
【図２】携帯電話機の露出状態を示す斜視図。
【図３】図２の３−３線断面図。
【図４】携帯電話機の隠蔽状態を示す斜視図。
【図５】規制スイッチ及び第２圧縮コイルばねの取着状態を示す斜視図。
【図６】（ａ）、（ｂ）及び（ｃ）は、規制片に対する規制突部の動作を示す部分断面図。
【図７】携帯電話機の別例を示す斜視図。
【符号の説明】
【００２７】
１１…移動通信端末としての携帯電話機、１２…第１筐体としての操作筐体、１３…第２筐体としての表示筐体、１４…第１機能部としてのボタン操作部、１６…第２機能部としての表示部、２０…ロッドアンテナ、２１…アンテナ収容部、２４…付勢手段としての第１圧縮コイルばね、２５…規制手段としての規制スイッチ、２６…規制手段としての第２圧縮コイルばね、３１…規制手段としての規制突部。
【図１】
2005167847.tif 000003
【図２】
2005167847.tif 000004
【図３】
2005167847.tif 000005
【図４】
2005167847.tif 000006
【図５】
2005167847.tif 000007
【図６】
2005167847.tif 000008
【図７】
2005167847.tif 000009